(57)【要約】【課題】本発明は、丸洗いできるとともに、内部に微物を残すことなく浸入した洗浄溶液を簡単に除去することができ、衛生管理が容易な押ボタン式子機を提供する。【解決手段】ナースコール装置に接続される押ボタン式子機１は、被看護者が握る胴部２と、胴部２の内部に固定されるリードスイッチ（近接センサ）３と、リードスイッチ３を作動させる磁石（作動子）４が一端５ａに設けられて他端５ｂが胴部２から露出する押ボタン５と、押ボタン５の他端５ｂを胴部２の外に突出させる方向に押ボタン５を付勢するスプリング（弾性部材）６と、リードスイッチ３に接続されて胴部２の外に延びるコード７と、胴部２の内部を外部に連通する開口部８とを備える。【選択図】      図１
2005080775.tif 000002
【特許請求の範囲】
【請求項１】
被看護者が看護者を呼び出す場合に使用されるナースコール装置に接続される押ボタン式子機において、
前記被看護者が握る胴部と、
前記胴部の内部に固定される近接センサと、
前記近接センサを作動させる作動子が一端に設けられて他端が前記胴部から露出する押ボタンと、
前記押ボタンの他端を前記胴部の外に突出させる方向に前記押ボタンを付勢する弾性部材と、
前記近接センサに接続されて前記胴部の外に延びるコードと、
前記胴部の内部を外部に連通する開口部とを備えることを特徴とする押ボタン式子機。
【請求項２】
前記近接センサは、ガラス管に封入されたリードスイッチであって、
前記作動子は、磁石であることを特徴とする請求項１に記載の押ボタン式子機。
【請求項３】
前記近接センサは、ソレノイドコイルであって、
前記作動子は、前記ソレノイドコイルの磁界に変化を与える磁性体であることを特徴とする請求項１に記載の押ボタン式子機。
【請求項４】
前記押ボタンと前記胴部との隙間から前記胴部の内部を通って前記開口部まで連通していることを特徴とする請求項１に記載の押ボタン式子機。
【請求項５】
前記コードは、隙間を有して前記開口部に通されることを特徴とする請求項１に記載の押ボタン式子機。
【請求項６】
前記リードスイッチは、前記磁石が接近することで接点が切れるブレーク型であることを特徴とする請求項２に記載の押ボタン式子機。
【発明の詳細な説明】
【技術分野】
【０００１】
本発明は、ナースコール装置に接続される押しボタン式子機であって、衛生管理対策が施された押ボタン式子機に関する。
【背景技術】
【０００２】
被看護者が看護者を呼び出す場合に使用されるナースコール装置の子機として、押ボタン式子機がある。この押ボタン式子機は、被看護者等が素手で握って操作する。１人の被看護者に対して、１つの押ボタン式子機が用意される。押ボタン式子機は、使用されることによって汚れ、雑菌がつくので、定期的にアルコールや消毒溶液を染み込ませた布で清拭する洗浄が行なわれる。そのため、清拭性を考慮して、凹凸の少ない滑らかな外径を有しているものがある。
【０００３】
また、スイッチを丸ごと洗浄する一例として、プリント基板に電磁リレーおよび電子部品を実装した後、はんだ付けに使用したフラックスの残渣を除去するためにプリント基板ごと丸洗いすることがある（例えば、特許文献１参照。）。電磁リレーの内部にスイッチ部が設けられているが、カバーで覆われており、洗浄中に洗浄液が内部に浸入しないように設けられている。
【特許文献１】特開平５-２５０９７２号公報
【発明の開示】
【発明が解決しようとする課題】
【０００４】
しかしながら、ナースコール装置に接続される押ボタン式子機は、長期間使用することによって、僅かな隙間から内部に汗や皮脂などが浸透する場合がある。このような場合、清拭によって洗浄するだけでは、内部まで消毒や滅菌処理ができないため、汗や皮脂が酸化したり雑菌が繁殖したりすることで、嫌な臭いを生じることもある。したがって、衛生面の管理上、利用者が替わる場合や汚れがひどい場合、スイッチなどが内蔵される押ボタン式子機を洗浄溶液に丸ごと浸漬して洗浄することによって、消毒や滅菌処理を行なうことが好ましい。
【０００５】
しかし、押ボタン式子機は、本来、丸ごと洗浄溶液に浸漬して洗浄するようには作られていない。そのため、丸ごと洗浄することによって押ボタン式子機の内部に侵入した洗浄溶液を排出するには、温度変化や圧力差などに伴い僅かな隙間から長時間かけて洗浄溶液を染み出させて乾燥させるか、押ボタン式子機を分解して拭き取る必要がある。
【０００６】
また、内部に侵入した洗浄溶液を乾燥させると、洗浄溶液中に溶け込んでいる微物が内部に析出する場合がある。微物は、押ボタン式子機のスイッチの接点に付着すると、導通不良を生じる可能性があるとともに、雑菌を繁殖させる原因になる。
【０００７】
さらに、押ボタン式子機は、押ボタンが外部に露出しているので、電磁リレーのようにカバーで覆ってしまうことが難しい。また、洗浄中に内部に洗浄溶液が入らないように密閉してしまうと、逆に使用中に内部に入った雑菌を除去できなくなる。
【０００８】
そこで、本発明は、微物を残すことなく内部に浸入した洗浄溶液を簡単に除去することができ、衛生管理が容易な押ボタン式子機を提供することを目的とする。
【課題を解決するための手段】
【０００９】
本発明は、被看護者が看護者を呼び出す場合に使用されるナースコール装置に接続される押ボタン式子機を前提とする。そして、被看護者が握る胴部と、胴部の内部に固定される近接センサと、近接センサを作動させる作動子が一端に設けられて他端が胴部から露出する押ボタンと、押ボタンの他端を胴部の外に突出させる方向に押ボタンを付勢する弾性部材と、近接センサに接続されて胴部の外に延びるコードと、胴部の内部を外部に連通する開口部とを備える。
【００１０】
この場合、押ボタン式子機の内部に浸入する洗浄溶液などに晒されることを考慮して、近接センサをガラス管に封入されたリードスイッチとし、作動子を磁石とするか、または、近接センサをソレノイドコイルとし、作動子をソレノイドコイルの磁界に変化を与える磁性体とする。
【００１１】
また、内部に入った洗浄溶液などの排出性を向上させるために、押ボタンと胴部との隙間から胴部の内部を通って開口部まで連通させる。または、コードは、隙間を有して開口部に通す。
【００１２】
押ボタン式子機が正常に機能しているかどうか、常に通電することで確認できるように、リードスイッチは、磁石が接近することで接点が切れるブレーク型を採用する。
【発明の効果】
【００１３】
本発明に係る押ボタン式子機によれば、洗浄溶液に丸ごと浸漬することで、内部まで消毒や滅菌処理を行なうことができるとともに、押ボタン式子機を分解しなくても、内部に侵入した洗浄溶液を容易に排出することができる。したがって、本発明に係る押ボタン式子機は、消毒や滅菌処理などの衛生管理が容易である。また、内部に侵入した洗浄液を排出することができるため、微物が押ボタン式子機の内部に残留することがない。
【発明を実施するための最良の形態】
【００１４】
本発明に係る第１の実施形態の押ボタン式子機１について、図１を参照して説明する。図１に示す押ボタン式子機１は、被看護者（利用者）が看護者を呼び出すために使用されるナースコール装置に接続される子機の一形態である。この押ボタン式子機１は、胴部２とリードスイッチ３と磁石４と押ボタン５とスプリング６とコード７と開口部８とを備える。
【００１５】
胴部２は、利用者が手を軽く握った場合に手の平に納まる程度の大きさで、利用者が握りやすいように、かつ、清拭性を考慮して、滑らかな外形を有している。リードスイッチ３は、近接センサの一形態であって、磁石４が接近するとガラス管３ａ内に封入されたリード３ｂ，３ｃが互いに離れる、ブレーク型である。リードスイッチ３は、胴部２の内部に配置される基板３ｄに実装されている。このリードスイッチ３には、常に微弱電流を通電することで、押ボタン式子機１が正常に機能していることを確認することができる。
【００１６】
基板３ｄは、胴部２の中程に設けられたスリット状の保持部２ａに差し込まれている。保持部２ａの基部は、なだらかな曲面で胴部２の内面に連続している。磁石４は、リードスイッチ３の作動子であって、リードスイッチ３が感度よく作動するように、このリードスイッチ３に面して平行に押ボタン５の一端５ａに取付けられている。
【００１７】
押ボタン５の他端５ｂは、胴部２の一部に露出しており、ちょうど利用者が胴部２を把持した場合に親指で押しやすい位置に設けられている。押ボタン５の一端５ａおよび他端５ｂは、それぞれ胴部２の内部に設けられたガイド２ｂ，２ｃに支持されている。一端５ａ側のガイド２ｂと他端５ｂとの間には、コイル状のスプリング６が取付けられている。スプリング６は、押ボタン５を胴部２の外に突出させる方向に付勢する。また、他端５ｂ側のガイド２ｃは、押ボタン５の他端５ｂを正しい位置に位置決めするとともに、押ボタン５の押し下げ量を制限するためのストッパの役割も兼ねている。
【００１８】
リードスイッチ３には、基板３ｄを介してコード７が接続されている。押ボタン５が露出する側と反対側の胴部２には、開口部８が設けられている。コード７は、隙間を有してこの開口部８に通されており、胴部２の外に延びている。また、開口部８より内側に入った胴部２の中には、コード７の抜け止２ｄが設けられている。抜け止２ｄは、コード７を挟持しており、利用者が誤って、コード７を引掛けた場合に、コード７が基板３ｄから外れたり切れたりすることを防止する。なお、図１においては、抜け止２ｄの基板３ｄ側の部分でコード７に結び目を設け、より抜け難くしている。
【００１９】
開口部８は、胴部２の内部、リードスイッチ３の周囲、磁石４の周囲、押ボタン５およびスプリング６の周囲まで連通している。つまり、押ボタン式子機１は、押ボタン５と胴部２との隙間９から胴部２の内部を通って開口部８まで一続きに連通している。
【００２０】
なお、胴部２の内側に突出しているガイド２ｂ，２ｃ、および抜け止２ｄの基部も、保持部２ａの基部と同様に滑らかな曲面で形成されていることで、洗浄溶液の排出性が向上する。
【００２１】
また、図１中において、白丸Ａの部分は、縦に半分ずつに分割された胴部をあわせるための係合穴である。この傾向穴に嵌る係合凸は、図示していない残り半分の胴部に設けられる。また、係合凸の代わりに、ピンで連結しても良い。また、残り半分の胴部が図１に示す胴部２と同じ形状であれば、図１中右半分の白丸Ａと左半分の白丸Ａとを交互に係合穴と係合凸としてもよい。あるいは、係合穴や係合凸を設けずに接着や溶着しても良い。
【００２２】
このように構成された押ボタン式子機１の押ボタン５を操作すると、磁石４が近づいて、リードスイッチ３のリード３ｂ，３ｃが互いに離間する。その結果、コード７の導通が途絶えるので、これをナースコール装置の親機で検出することによって、被看護者（利用者）が看護者を呼んでいることが分かる。
【００２３】
以上のように設けられた押ボタン式子機１は、汚れが目立ってきた場合、外表面をアルコール、過酸化水素水（オキシドール）、あるいはクレゾールなどの消毒液を染み込ませた布で清拭することによって、外表面の消毒や滅菌処理することができる。また、利用者が替わる場合や、胴部２の中まで汚れている場合は、押ボタン式子機を消毒液や、洗剤などの入った洗浄溶液に浸漬して丸洗いする。
【００２４】
なお、胴部２、押ボタン５、スプリング６、コード７の材質は、これら消毒液や洗浄溶液に対して十分に耐食性を有している。また、例えば、胴部２や押ボタン５にポリアミド樹脂を使用している場合等、１００℃以上の温度に耐えられる部材で形成されていれば、開口部８を有しているので、押ボタン式子機１が破裂することも無く、煮沸滅菌することも可能である。
【００２５】
押ボタン式子機１は、開口部８を有しており、特に本実施形態では、押ボタン５と胴部２との隙間９から開口部８まで一続きに連通しているので、内部に入った消毒液や洗浄溶液が、速やかに排出されるとともに、通気性がいいので、直に乾燥する。さらに、温風やエアブローなどを行なえば、より速く乾かすことができる。
【００２６】
このように押ボタン式子機１は、内部まで含めた全体を容易に消毒や滅菌処理でき、衛生管理が容易である。
【００２７】
本発明に係る第２の実施形態の押ボタン式子機１について、図２を参照して説明する。なお、第１の実施形態の押ボタン式子機１と同じ機能を有した構成については、同一の符号を付してその説明を省略する。
【００２８】
図２に示す押ボタン式子機１は、近接センサとしてソレノイド１１を胴部２の内部に備えている。また、ソレノイド１１の磁界に変化を生じさせる作動子として、磁性体１２が押ボタン５の一端５ａに取付けられている。
【００２９】
ソレノイド１１は、胴部２の内面から延びる保持部２ａに囲われて保持されている。ソレノイド１１の両端は、それぞれコード７に接続されている。ソレノイド１１には、第１の実施形態の押ボタン式子機１におけるリードスイッチ３と同様に、ナースコール装置に接続した場合に、常に微弱電流を流すことで、押ボタン式子機１が機能しているかどうか容易に確認することができる。また、コード７は、抜け止２ｄに挟持されている他に、巻き掛け片２ｅに折り返し絡ませられている。コード７の途中に結び目を作らずにコード７が抜けることを防止する一例である。
【００３０】
このように構成された押ボタン式子機１は、押ボタン５を操作すると、ソレノイド１１と磁性体１２との距離が変化し、ソレノイド１１が作る磁界に変化を生じさせる。その結果、ソレノイド１１に流れる電流値に変化が生じる。これをナースコール装置の親機側で検出することで、押ボタン式子機１が操作された、つまり看護者が呼ばれていることが分かる。
【００３１】
以上のように、設けられた押ボタン式子機１は、第１の実施形態と同様に消毒液や洗浄溶液に浸漬して、丸洗いすることができるとともに、内部に侵入した消毒液や洗浄溶液が速やかに排出される。また、開口部８を有しており、特に押ボタン５と胴部２との隙間９から内部を通って開口部８まで一続きに連通しているので、内部の通気性も良く、洗浄後の乾燥が短時間ですむ。
【００３２】
なお、第１および第２の実施形態の押ボタン式子機において、近接センサおよび作動子として用いたリードスイッチ３と磁石４、またはソレノイド１１と磁性体１２の組み合わせのほか、近接センサのように押ボタン５の動きを非接触で検出するセンサと、押ボタン５に取付けられてセンサの検出感度を高める作動子との組み合わせでも良い。例えば、センサにホール素子を用い、作動子に磁石を用いる場合がある。また、本実施形態において、リードスイッチ３は、ブレーク型としたが、リード３ｂ，３ｃ同士が常時離れており、磁石４を近づけることで、接触するメーク型でも良い。コイル状のスプリング６は、弾性体の一例であって、ねじりコイルばね、板ばね、ゴムのように高弾性を有した合成樹脂等でも良い。
【図面の簡単な説明】
【００３３】
【図１】本発明に係る第１の実施形態の押ボタン式子機を示す断面図。
【図２】本発明に係る第２の実施形態の押ボタン式子機を示す断面図。
【符号の説明】
【００３４】
１…押ボタン式子機、２…胴部、３…リードスイッチ、３ａ…ガラス管、４…磁石、５…押ボタン、５ａ…一端、５ｂ…他端、６…スプリング（弾性体）、７…コード、８…開口部、９…隙間、１１…ソレノイド、１２…磁性体。
【図１】
2005080775.tif 000003
【図２】
2005080775.tif 000004